(57)【要約】【課題】電解促進錠剤の排出検知を精度よく行うことができる電解促進錠剤投入装置を提供すること。【解決手段】排出検知部４０は、発光素子３８と受光素子３９とを備える。排出検知部４０は、回転体２３を上面視した場合に、発光素子３８と受光素子３９とを結ぶ線分Ｌ３が、回転体２３の中心Ｏとガイド筒２７（孔２６）の中心Ｐとを結んだ直線Ｌ４と回転体２３の回転方向との交点Ｑにおける前記回転の接線Ｌ２方向と非平行となる位置に、発光素子３８と受光素子３９とを配設する。【選択図】図１０
2019026467.tif 000002
【特許請求の範囲】
【請求項１】
電解促進錠剤を収納するケースと、当該ケースより前記電解促進錠剤を排出する排出孔と、前記ケースに収納された前記電解促進錠剤を前記排出孔へ移動させるための回転体と、当該回転体の回転を制御する制御部と、前記排出孔からの前記電解促進錠剤の排出を検知する排出検知部と、を備えた電解促進錠剤投入装置であって、
前記排出検知部は、
発光素子と、
前記排出孔から排出された前記電解促進錠剤が通過する通過経路を前記発光素子と挟む位置に配設され、前記発光素子からの光を受光する受光素子と、を備え、
前記受光素子が受光した光の強度に基づいて前記排出孔からの前記電解促進錠剤の排出を検知するものであり、
前記回転体を上面視した場合に、前記発光素子と前記受光素子とを結ぶ線分が、前記回転体が形成する円形であって前記通過経路上における接線方向と非平行となる位置に前記発光素子と前記受光素子とを配設した電解促進錠剤投入装置。
【請求項２】
前記線分は、前記回転体を上面視した場合に、前記回転体が形成する円形と当該円形の中心及び前記通過経路の中心を結んだ直線との交点における接線方向と非平行となる請求項１記載の電解促進錠剤投入装置。
【請求項３】
前記排出孔が前記回転体の下側に位置するように前記回転体を上面視した場合に、
前記制御部により設定される当該回転体の回転方向の初期設定が反時計回りであり、
前記発光素子及び前記受光素子のうち、左側に配設される素子が、右側に配設される素子よりも、前記回転体の回転の中心を通り前記接線と平行な直線との距離が短くなるように、前記発光素子と前記受光素子とを配設した請求項１又は２記載の電解促進錠剤投入装置。
【請求項４】
前記排出孔が前記回転体の下側に位置するように前記回転体を上面視した場合に、
前記制御部により設定される当該回転体の回転方向の初期設定が時計回りであり、
前記発光素子及び前記受光素子のうち、右側に配設される素子が、左側に配設される素子よりも、前記回転体の回転の中心を通り前記接線と平行な直線との距離が短くなるように、前記発光素子と前記受光素子とを配設した請求項１又は２記載の電解促進錠剤投入装置。
【請求項５】
前記回転体を側面視した場合に、
前記発光素子と前記受光素子とを同じ高さに配設した請求項１から４のいずれかに記載の電解促進錠剤投入装置。
【請求項６】
前記制御部は、
前記回転体の回転速度と回転方向とを決定する回転条件決定部を備えた請求項１から５のいずれかに記載の電解促進錠剤投入装置。
【請求項７】
前記制御部は、
前記排出検知部により前記電解促進錠剤の排出が検知された場合に、前記回転体の回転を停止させる停止部を備えた請求項６記載の電解促進錠剤投入装置。
【請求項８】
前記制御部は、
前記回転体の回転量を判断する回転量判断部と、
当該回転量判断部により判断された前記回転量と回転量閾値とを比較する回転量比較部と、を備え、
前記回転条件決定部は、
前記回転量比較部の比較結果において前記回転量が前記回転量閾値を超えた場合に前記回転方向及び／又は前記回転速度の変更を決定する請求項６又は７記載の電解促進錠剤投入装置。
【請求項９】
前記制御部は、
前記回転体の回転を開始させてからの経過時間をカウントする回転時間カウント部と、
当該回転時間カウント部がカウントした前記経過時間と回転時間閾値とを比較する回転時間比較部と、を備え、
前記回転条件決定部は、
前記回転時間比較部の比較結果において前記経過時間が前記回転時間閾値を超えた場合に前記回転方向及び／又は前記回転速度の変更を決定する請求項６又は７記載の電解促進錠剤投入装置。
【請求項１０】
前記制御部は、
前記回転条件決定部が前記回転方向と前記回転速度とを決定し、決定された前記回転速度と前記回転方向とで前記回転体を回転させる制御を行った制御回数をカウントする制御回数カウント部と、
当該制御回数カウント部がカウントした前記制御回数と制御回数閾値とを比較する制御回数比較部と、
当該制御回数比較部の比較結果において前記制御回数が前記制御回数閾値を超えた場合に報知を行う報知部と、を備えた請求項６から９のいずれかに記載の電解促進錠剤投入装置。
【請求項１１】
前記制御部は、
前記回転条件決定部が前記回転方向と前記回転速度とを決定し、決定された前記回転速度と前記回転方向とで前記回転体を回転させる制御を行った制御回数をカウントする制御回数カウント部と、
当該制御回数カウント部がカウントした前記制御回数と制御回数閾値とを比較する制御回数比較部と、を備え、
前記停止部は、当該制御回数比較部の比較結果において前記制御回数が前記制御回数閾値を超えた場合に前記回転体の回転を停止させる請求項７記載の電解促進錠剤投入装置。
【請求項１２】
電解水を生成する電解水生成部と前記電解水生成部が生成した電解水を散布する散布部とを備えた電解水散布装置であって、
前記電解水生成部は、
水を貯めるための貯水部と、
前記貯水部に前記電解促進錠剤を投入する請求項１から１１のいずれかに記載の電解促進錠剤投入装置と、
前記電解促進錠剤が投入された前記貯水部内の水を電気分解して電解水を生成する電解部と、を備えた電解水散布装置。
【請求項１３】
吸気口と吹出口とを有する本体ケースを備え、
前記散布部は、
前記貯水部内の電解水に浸漬させて保水し前記吸気口から流入した空気に接触するフィルター部と、
前記フィルター部に接触した空気を前記吹出口に導く送風部と、を備えた請求項１２記載の電解水散布装置。
【発明の詳細な説明】
【技術分野】
【０００１】
本発明は、電解促進錠剤を投入する電解促進錠剤投入装置と、その電解促進錠剤投入装置を備え、電解水を生成して散布する電解水散布装置とに関する。
【背景技術】
【０００２】
従来、電解促進錠剤を収納するケース内に回転体を設け、その回転体をモータにて回転させることにより、電解促進錠剤をケースに設けられた排出孔からガイド筒を介して排出させて、電解水散布装置の貯水部へ投入する電解促進錠剤投入装置がある。この種の電解促進錠剤投入装置の機構については、例えば特許文献１に記載のものが知られている。
【０００３】
この種の電解促進錠剤投入装置では、ガイド筒の幅が狭いと電解促進錠剤が詰まりやすくなり、ユーザに詰まりの解消動作を行わせるなど、過度の負担を強いることになる。そこで、電解促進錠剤投入装置ではガイド筒の幅を広くすることが求められる。
【０００４】
一方、この種の電解促進錠剤投入装置の中には、ガイド筒の途中に、そのガイド筒内の電解促進錠剤の通過経路を挟むようにして一対の発光素子と受光素子とを設け、簡易的に電解促進錠剤の排出を検知するものがある。
【先行技術文献】
【特許文献】
【０００５】
【特許文献１】国際公開第０１／０６０７２６号
【発明の概要】
【発明が解決しようとする課題】
【０００６】
しかしながら、このような電解促進錠剤投入装置では、排出される電解促進錠剤を検知可能な範囲が、発光素子と受光素子とで形成される光の経路が通る範囲に限られる。このため、電解促進錠剤投入装置では、ガイド筒のサイズを広くすると、電解促進錠剤の通過可能範囲が広がる一方、その電解促進錠剤の排出検知精度が低下してしまうという問題点があった。また、電解促進錠剤を収納するケースは、電解促進錠剤を入れる時にユーザによって取り外され、電解促進錠剤が入れられるとユーザの手で再び取り付けられる。よって、ケースの取り付け位置にずれが生じると、やはり電解促進錠剤の排出検知ができなくなるおそれがあった。
【０００７】
本発明は、上記課題を解決するためになされたものであり、電解促進錠剤の排出検知を精度よく行うことができる電解促進錠剤投入装置及び電解水散布装置を提供することを目的とする。
【課題を解決するための手段】
【０００８】
この目的を達成するために、本発明の電解促進錠剤投入装置は、以下を特徴とするものである。即ち、本発明の電解促進錠剤投入装置は、ケースと、排出孔と、回転体と、制御部と、排出検知部と、を備える。ケースは、電解促進錠剤を収納する。排出孔は、ケースより電解促進錠剤を排出するための孔である。回転体は、ケースに収納された電解促進錠剤を排出孔へ移動させるためのものである。制御部は、回転体の回転を制御する。排出検知部は、排出孔からの電解促進錠剤の排出を検知するもので、発光素子と、受光素子と、を備える。受光素子は、排出孔から排出された電解促進錠剤が通過する通過経路を発光素子と挟む位置に配設され、発光素子からの光を受光する。排出検知部は、受光素子が受光した光の強度に基づいて排出孔からの電解促進錠剤の排出を検知する。当該排出検知部は、回転体を上面視した場合に、発光素子と受光素子とを結ぶ線分が、回転体が形成する円形であって通過経路上における接線方向と非平行となる位置に発光素子と受光素子とを配設する。
【０００９】
また、本発明の電解水散布装置は、電解水生成部と、散布部とを備える。電解水生成部は、電解水を生成するもので、貯水部と、本発明の電解促進錠剤投入装置と、電解部とを備える。散布部は、電解水生成部が生成した電解水を散布する。貯水部は、水を貯めるためのものである。本発明の電解促進錠剤投入装置は、貯水部に電解促進錠剤を投入する。電解部は、電解促進錠剤が投入された貯水部内の水を電気分解して電解水を生成する。
【発明の効果】
【００１０】
本発明の電解促進錠剤投入装置及び電解水散布装置によれば、排出検知部は、回転体を上面視した場合に、発光素子と受光素子とを結ぶ線分が、回転体が形成する円形であって電解促進錠剤の通過経路上における接線方向と非平行となる位置に発光素子と受光素子とを配設する。これにより、本発明の電解促進錠剤投入装置及び電解水散布装置は、回転体の回転方向や回転速度を変更することで、電解促進錠剤の通過位置を、発光素子と受光素子とで形成される電解促進錠剤の通過が検知可能な有限の範囲に、含めやすくすることができる。よって、本発明の電解促進錠剤投入装置及び電解水散布装置は、電解促進錠剤が通過する通過経路のサイズを大きくした場合や、電解促進錠剤を収納するケースの取り付け位置にズレが生じた場合であっても、電解促進錠剤の排出検知を精度よく行うことができるという効果を得ることができる。
【図面の簡単な説明】
【００１１】
【図１】本発明の第１実施形態に係る電解促進錠剤投入装置を備えた電解水散布装置の斜視図である。
【図２】同電解促進錠剤投入装置を備えた電解水散布装置の斜視図である。
【図３】同電解促進錠剤投入装置を備えた電解水散布装置の断面図である。
【図４】同電解促進錠剤投入装置を備えた電解水散布装置の断面図である。
【図５】同電解促進錠剤投入装置の斜視図である。
【図６】同電解促進錠剤投入装置の分解斜視図である。
【図７】同電解促進錠剤投入装置のケース内を示す斜視図である。
【図８】同電解促進錠剤投入装置のケースの底面を示す斜視図である。
【図９】同電解促進錠剤投入装置のケースの孔と回転体の切欠きの拡大斜視図である。
【図１０】（ａ）は、同電解促進錠剤投入装置の回転体を上面視した場合の回転体、孔、排出検知部を模式的に示した模式図であり、（ｂ）は、（ａ）から回転体を取り除いた図であり、（ｃ）は、同電解促進錠剤投入装置の回転体を側面視した場合のガイド筒及び排出検知部を模式的に示した模式図である。
【図１１】（ａ１）は、同電解促進錠剤投入装置の回転体を上面視した場合の回転体、孔、排出検知部を模式的に示した模式図であり、（ａ２）は、（ａ１）から回転体を取り除いた図であり、（ａ３）は、同電解促進錠剤投入装置の回転体を側面視した場合のガイド筒及び排出検知部を模式的に示した模式図であり、（ｂ１）は、同電解促進錠剤投入装置の回転体を上面視した場合の回転体、孔、排出検知部を模式的に示した模式図であり、（ｂ２）は、（ｂ１）から回転体を取り除いた図であり、（ｂ３）は、同電解促進錠剤投入装置の回転体を側面視した場合のガイド筒及び排出検知部を模式的に示した模式図である。
【図１２】（ａ１）は、第２実施形態に係る電解促進錠剤投入装置の回転体を上面視した場合の回転体、孔、排出検知部を模式的に示した模式図であり、（ａ２）は、（ａ１）から回転体を取り除いた図であり、（ａ３）は、同電解促進錠剤投入装置の回転体を側面視した場合のガイド筒及び排出検知部を模式的に示した模式図であり、（ｂ１）は、同電解促進錠剤投入装置の回転体を上面視した場合の回転体、孔、排出検知部を模式的に示した模式図であり、（ｂ２）は、（ｂ１）から回転体を取り除いた図であり、（ｂ３）は、同電解促進錠剤投入装置の回転体を側面視した場合のガイド筒及び排出検知部を模式的に示した模式図である。
【図１３】第３実施形態に係る電解促進錠剤投入装置の機能をブロックで示した機能ブロック図である。
【図１４】同電解促進錠剤投入装置の制御部で実行される回転条件決定処理を示すフローチャートである。
【図１５】第４実施形態に係る電解促進錠剤投入装置の機能をブロックで示した機能ブロック図である。
【図１６】（ａ１）は、比較例としての電解促進錠剤投入装置の回転体を上面視した場合の回転体、孔、排出検知部を模式的に示した模式図であり、（ａ２）は、（ａ１）から回転体を取り除いた図であり、（ａ３）は、同電解促進錠剤投入装置の回転体を側面視した場合のガイド筒及び排出検知部を模式的に示した模式図であり、（ｂ１）は、同電解促進錠剤投入装置の回転体を上面視した場合の回転体、孔、排出検知部を模式的に示した模式図であり、（ｂ２）は、（ｂ１）から回転体を取り除いた図であり、（ｂ３）は、同電解促進錠剤投入装置の回転体を側面視した場合のガイド筒及び排出検知部を模式的に示した模式図である。
【発明を実施するための形態】
【００１２】
以下、本発明を実施するための形態について添付図面を参照して説明する。
【００１３】
（第１実施形態）
まず、図１〜１１を参照して、本発明の第１実施形態に係る電解促進錠剤投入装置１８と、その電解促進錠剤投入装置１８を備えた電解水散布装置Ｄについて説明する。図１は、電解水散布装置Ｄの斜視図であり、電解水散布装置Ｄを前面側から見た図である。図２は、電解水散布装置Ｄの斜視図であり、図１のパネル３を開いた状態で電解水散布装置Ｄを前面側から見た図である。
【００１４】
図１、２に示す通り、電解水散布装置Ｄは、略箱形状の本体ケース１を備え、本体ケース１の両側面には略四角形状の吸気口２を有している。本体ケース１の天面には、開閉式の吹出口６が設けられている。図１、２では、吹出口６は閉じた状態である。
【００１５】
本体ケース１の前面側から見て、右側の側面（本体ケース１の一方側の側面）である第１の本体側面１Ａには、開閉可能なパネル３が設けられている。本体ケース１の一方側の側面の吸気口２は、パネル３に設けられている。パネル３を開くと、縦長四角形状の開口４が現れる。開口４から、後述する貯水部１４、給水部１５、電解促進錠剤投入装置１８のケース２１等が取り出し可能に構成されている。
【００１６】
図３は、電解水散布装置Ｄの正面視中央部分を縦方向に切った断面図であり、電解水散布装置Ｄを右側から見た図である。図４は、電解水散布装置Ｄの正面視右側を縦方向に切った断面図であり、電解水散布装置Ｄにおける右側から見た図である。
【００１７】
図２〜４に示すように、本体ケース１内には、電解水生成部５と、給水部１５と、散布部１９と、風路８とが備えられている。電解水生成部５は、貯水部１４と、電解部１７と、電解促進錠剤投入装置１８と、を備えている。
【００１８】
貯水部１４は、天面を開口した箱形状しており、水を貯水できる構造となっている。貯水部１４は、本体ケース１の下部に配置され、本体ケース１から水平方向にスライドして着脱可能となっており、開口４から取り出すことができる。貯水部１４は、給水部１５から供給される水を貯水する。
【００１９】
電解部１７は、電極部材（図示せず）を備えており、この電極部材が貯水部１４内の水に浸かるように設置される。電解部１７は、この電極部材に通電することにより、貯水部１４内の塩化物イオンを含む水を電気化学的に電気分解し、活性酸素種を含む電解水を生成させる。ここで、活性酸素種とは、通常の酸素よりも高い酸化活性を持つ酸素分子と、その関連物質のことである。例えば、活性酸素種には、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素が含まれる。
【００２０】
電解部１７は、電極部材への電気分解するための通電を行う通電時間と、その通電停止後の時間、つまり通電を行っていない時間である非通電時間を一周期として、その一周期を複数回繰り返すことで、電解水を生成する。電極部材に対し、非通電時間を設けることで、電極部材の寿命を延ばすことができる。なお、非通電時間に対して通電時間を長くすれば、一周期当たりにおいてより多くの量の活性酸素種を含む電解水が生成される。また通電時間に対して非通電時間を長くすれば、一周期当たりの活性酸素種の生成が抑えられる。さらに、通電時間における電力量を大きくすれば、より多くの量の活性酸素種を含む電解水が生成される。
【００２１】
給水部１５は、本体ケース１内部の正面視右側の側面に設置され、貯水部１４から着脱可能な構造となっており、開口４から取り出すことができる。給水部１５は、貯水部１４の底面に設けられたタンク保持部１４ａに装着されている。給水部１５は、水を貯水するタンク１５ａと、タンク１５ａの開口（図示せず）に設けられた蓋１５ｂとを備えている。蓋１５ｂの中央には、開閉部（図示せず）が設けられており、この開閉部が開くと、タンク１５ａ内の水が、貯水部１４へ供給される。
【００２２】
具体的には、タンク１５ａの開口を下向きにして、給水部１５を貯水部１４のタンク保持部１４ａに取り付けると、タンク保持部１４ａによって開閉部が開く。つまり、水を入れた給水部１５がタンク保持部１４ａに取り付けられると、開閉部が開いて貯水部１４に給水され、貯水部１４内に水が溜まる。貯水部１４内の水位が上昇して蓋１５ｂのところまで到達すると給水部１５の開口が水封されるので給水が停止し、給水部１５の内部には水が残り、貯水部１４内の水位が下がった場合に都度、タンク１５ａ内部の水が貯水部１４に給水される。即ち、貯水部１４内の水位は一定に保たれる。
【００２３】
なお、電解水散布装置Ｄは、給水部１５としてタンク１５ａを有していなくてもよい。この場合は、電解水散布装置Ｄに対して、水を供給するラインを水道水よりひき、貯水部１４内の水位が下がった場合に、貯水部１４内の水位が所定位置に上昇するまで水道水を供給するようにしてもよい。
【００２４】
散布部１９は、送風部７と、フィルター部１６とを備える。送風部７は、本体ケース１の中央部に設けられ、モータ部９と、モータ部９により回転するファン部１０と、それらを囲むスクロール形状のケーシング部１１とを備えている。モータ部９は、ケーシング部１１に固定されている。
【００２５】
ファン部１０は、シロッコファンであり、モータ部９から水平方向に延びた回転軸９ａに固定され、モータ部９は、ケーシング部１１に固定されている。モータ部９の回転軸９ａは、本体ケース１の前面側から背面側に延びている。ケーシング部１１は、ケーシング部１１の本体ケース１における上面側に吐出口１２を備え、ケーシング部１１の本体ケース１における背面側に吸込口１３を有している。送風部７の風量は、温度や湿度、ガスの臭いレベルに応じて、風量単位時間（例えば、５分）毎に決定される。決定された風量に基づき、モータ部９の回転量が制御される。
【００２６】
フィルター部１６は、貯水部１４に貯水された電解水と、送風部７によって本体ケース１内に流入した室内空気とを接触させる部材である。フィルター部１６は、円筒状に構成され、円周部分に空気が流通可能な孔を備えたフィルター１６ａを配置し、その一端が貯水部１４に貯水された電解水に浸漬され、保水されるように、フィルター１６ａの中心軸を回転中心として貯水部１４に回転自在に内蔵されている。そして、フィルター部１６は、駆動部（図示しない）により回転され、電解水と室内空気を連続的に接触させる構造となっている。
【００２７】
風路８は、吸気口２と吹出口６とを連通し、吸気口２から順に、フィルター部１６、送風部７、吹出口６を備えている。モータ部９によってファン部１０が回転すると、吸気口２から吸い込まれ風路８内に入った外部の空気は、順に、フィルター１６ａ、送風部７、吹出口６を介して、電解水散布装置Ｄの外部へ吹き出される。これにより、貯水部１４にて生成された電解水が外部へ散布される。なお、電解水散布装置Ｄは、必ずしも電解水そのものを撒くものでなくてもよく、結果的に生成した電解水由来（揮発を含む）の活性酸素種を散布するものであっても電解水散布に含まれる。
【００２８】
次いで、電解水生成部５に設けられた電解促進錠剤投入装置１８の詳細について説明する。図５は、電解促進錠剤投入装置１８の斜視図である。図６は、電解促進錠剤投入装置１８の分解斜視図であり、ケース２１の内部が見えるようにケース２１の一部を切り欠いた図である。図７は、電解促進錠剤投入装置１８のケース２１内を示す斜視図であり、回転体２３を外した状態である。図８は、電解促進錠剤投入装置１８のケース２１の底面を示す斜視図であり、電解促進錠剤投入装置１８における下方から見た斜視図である。
【００２９】
図５〜８に示すように、電解促進錠剤投入装置１８は、ケース２１と、ケースカバー２２と、回転体２３と、モータ部２４と、を有している。
【００３０】
ケース２１は、上方が開口した円形の深皿形状であり、上端部には、下方が開口した椀形状のケースカバー２２が着脱可能である。ケース２１内には、回転体２３を備え、ケース２１の下方には、モータ部２４を備えている。モータ部２４は、鉛直方向を回転軸方向として、ケース２１内で回転体２３を回転させる。ケース２１の底面には、軸受孔２５と、孔２６とを有している。軸受孔２５は、後述する回転体２３の回転軸２９が入る孔であり、孔２６は、電解促進錠剤２０が通過する孔である。孔２６には、孔２６の開口縁から下方に延びたガイド筒２７が設けられている。なお、孔２６とガイド筒２７とが、本発明の排出孔を構成する。
【００３１】
回転体２３は、中央部が上方に凸形状の円板である凸面部２８と、凸面部２８の中央下面から下方に延びた円筒形状の回転軸２９とを有している。凸面部２８と回転軸２９とは、樹脂材料によって一体に形成されている。凸面部２８は、椀形状の椀部分３７と、その椀部分３７の下端側且つ外縁側から外方に延びた環状の平面部分３６とを有している。凸面部２８の大きさは、ケース２１より一回り小さい大きさであり、凸面部２８の外周とケース２１の内面との間には僅かに隙間を有している。
【００３２】
一方、電解促進錠剤２０は円盤形状であり、平面部分３６の幅は、電解促進錠剤２０の厚みより僅かに大きい。また、椀部分３７の高さ寸法は、電解促進錠剤２０の直径より大きい。これにより、電解促進錠剤２０は、平面部分３６に並び易くなる。電解促進錠剤２０は、平面部分３６の上面に、凸面部２８の椀部分３７とケース２１側面との間に厚み方向が挟まれるように並ぶ。すなわち、電解促進錠剤２０は、同じ向きに並ぶので、回転体２３の周縁部に環状に隙間無く並び易くなる。
【００３３】
平面分部３６には、切欠き３０を有している。切欠き３０が孔２６と対向したときに、電解促進錠剤２０が切欠き３０及び孔２６を通過して排出され、ガイド筒２７を通って貯水部１４に向けて落下する。回転軸２９は、ケース２１の底面の軸受孔２５を介して、ケース２１の下方に突出している。
【００３４】
モータ部２４は、モータ部２４の上面から上方に延びた円柱形状のモータ回転軸３１を有している。モータ回転軸３１の表面は、ギザ状にローレット加工されている。回転体２３の回転軸２９の内面も、モータ回転軸３１が嵌るようにギザ状に加工されている。回転体２３の回転軸２９にモータ回転軸３１を嵌め、モータ回転軸３１を回転させると、回転体２３も回転する。モータ部２４は、ケース２１の底面から下方に延びた筒形状のモータカバー３２によって覆われている。
【００３５】
以上の構成において、電解促進錠剤投入装置１８における電解促進錠剤２０の投入動作を説明する。図９は、電解促進錠剤投入装置１８のケース２１の孔２６と回転体２３の切欠き３０の拡大斜視図であり、電解促進錠剤２０が回転体２３の切欠き３０に入った図である。
【００３６】
ユーザが、開口４よりケース２１を取り出し、ケース２１からケースカバー２２を外してケース２１内に電解促進錠剤２０を入れると、回転体２３における凸面部２８の上面に、電解促進錠剤２０が配置される。凸面部２８は、中央部が上方に凸形状の曲面形状の円板であるので、多数の電解促進錠剤２０は、凸面部２８の上面に沿って積み重なった状態となる。ユーザが、電解促進錠剤２０を入れたケース２１を開口４から手で電解促進錠剤投入装置１８へ設置すると、電解促進錠剤投入装置１８は、電解促進錠剤２０を貯水部１４へ投入する場合に、モータ部２４によって回転体２３を回転させる。これにより、電解促進錠剤２０が一つ、切欠き３０に入り込む（図９参照）。さらに回転体２３を回転させると、切欠き３０に入り込んだ電解促進錠剤２０は、切欠き３０と孔２６とが対向したときに孔２６まで移動し、その孔２６から排出され、ガイド筒２７を介して貯水部１４に落下する。この電解促進錠剤２０が貯水部１４内の水に溶け込むことにより、貯水部１４内に塩化物イオンを含む水が生成される。なお、電解促進錠剤２０の一例は、塩化ナトリウムである。
【００３７】
次いで、図１０を参照して、電解促進錠剤投入装置１８に設けられた排出検知部４０について説明する。図１０（ａ）は、回転体２３を上面視した場合の回転体２３、孔２６、排出検知部４０の位置関係を模式的に示した模式図である。図１０（ｂ）は、図１０（ａ）から回転体２３を取り除いた図である。図１０（ｃ）は、回転体２３を側面視した場合のガイド筒２７及び排出検知部４０の位置関係を模式的に示した模式図である。
【００３８】
排出検知部４０は、発光素子３８と受光素子３９とを備えている。発光素子３８は、光を出力する発光ダイオードである。受光素子３９は、発光素子３８に対向する向きに設けられ、発光素子３８から出力された光を受光し光の強度に応じて電気信号に変換するフォトダイオードである。
【００３９】
発光素子３８及び受光素子３９は、ガイド筒２７の途中に設けられ、ガイド筒２７内の電解促進錠剤２０が通過する通過経路を挟むように対をなして配設される。即ち、図１０（ａ）に示すように、ガイド筒２７が回転体２３の下側に位置するように回転体２３を上面視した場合、発光素子３８は、ガイド筒２７（孔２６）の左側に配設され、受光素子３９は、ガイド筒２７（孔２６）の右側に配設される。電解促進錠剤２０がガイド筒２７内を通過し、発光素子３８と受光素子３９との光の経路を遮ると、受光素子３９にて受光する光の強度が減少する。排出検知部４０は、この光の強度の変化に基づいて、電解促進錠剤２０が電解促進錠剤投入装置１８より排出されたことを検知する。なお、以下の説明において上面視する場合、ガイド筒２７が回転体２３の下側に位置するように上面視するものとする。
【００４０】
発光素子３８及び受光素子３９の位置は、左右逆となってもよい。つまり、回転体２３を上面視した場合、発光素子３８は、ガイド筒２７（孔２６）の右側に配設され、受光素子３９は、ガイド筒２７（孔２６）の左側に配設されてもよい。
【００４１】
ここで、電解促進錠剤投入装置１８は、回転体２３を上面視した場合に、発光素子３８と受光素子３９とを結ぶ線分Ｌ３が、回転体２３が形成する円形であって、ガイド筒２７（孔２６）により形成される電解促進錠剤２０が通過する通過経路上における接線Ｌ２方向と非平行となる位置に、発光素子３８と受光素子３９とを配設する。好ましくは、発光素子３８と受光素子３９とを結ぶ線分Ｌ３が、回転体２３が形成する円形と、当該円形の中心Ｏ及びガイド筒２７（孔２６）の中心Ｐを結んだ直線Ｌ４と回転体２３の回転方向との交点Ｑにおける前記回転の接線Ｌ２方向と非平行となる位置に、発光素子３８と受光素子３９とを配設する。つまり、発光素子３８と受光素子３９との光の経路が、交点Ｑにおける接線Ｌ２方向と非平行とされる。
【００４２】
このように発光素子３８及び発光素子３８を配置した場合における効果について、図１１及び図１６を参照して説明する。図１１は、回転体２３を上面視した場合に、回転体２３の回転の中心Ｏを通る接線Ｌ２と平行な直線Ｌ１（図１０参照）と、ガイド筒２７の左側にある発光素子３８との距離ｄ１（図１０参照）が、直線Ｌ１とガイド筒２７の右側にある受光素子３９との距離ｄ２（図１０参照）よりも短くなるように（ｄ２＞ｄ１）、発光素子３８及び受光素子３９を配設した場合を例示したものである。そのうち、図１１（ａ１）〜（ａ３）は、回転体２３を上面視した場合に反時計回りに回転された場合を示した図であり、（ａ１）は、回転体２３を上面視した場合の回転体２３、孔２６、排出検知部４０の位置関係を模式的に示した模式図、（ａ２）は、（ａ１）から回転体２３を取り除いた図、（ａ３）は、回転体２３を側面視した場合のガイド筒２７及び排出検知部４０の位置関係を模式的に示した模式図である。また、図１１（ｂ１）〜（ｂ３）は、回転体２３を上面視した場合に時計回りに回転された場合を示した図であり、（ｂ１）は、回転体２３を上面視した場合の回転体２３、孔２６、排出検知部４０の位置関係を模式的に示した模式図、（ｂ２）は、（ｂ１）から回転体２３を取り除いた図、（ｂ３）は、回転体２３を側面視した場合のガイド筒２７及び排出検知部４０の位置関係を模式的に示した模式図である。
【００４３】
一方、図１６は、本発明の電解促進錠剤投入装置１８の効果を説明するための比較例としての電解促進錠剤投入装置１８の例を示したものである。即ち、図１６は、直線Ｌ１と発光素子３８との距離ｄ１（図１０参照）と、直線Ｌ１と受光素子３９との距離ｄ２（図１０参照）とが等しい場合を例示する。そのうち、図１６（ａ１）〜（ａ３）は、回転体２３を上面視した場合に反時計回りに回転された場合を示した図であり、図１６（ｂ１）〜（ｂ３）は、回転体２３を上面視した場合に時計回りに回転された場合を示した図である。なお、図１６（ａ１）〜（ａ３）、（ｂ１）〜（ｂ３）は、各々、図１１（ａ１）〜（ａ３）、（ｂ１）〜（ｂ３）に対応する。
【００４４】
電解促進錠剤投入装置１８は、回転体２３の回転方向の初期設定として反時計回りに設定された場合、電解促進錠剤２０は、ガイド筒２７の上面視左上側、つまり、回転体２３が回転してくる側であって回転体２３寄りを通過する。上述した通り、発光素子３８は回転体２３側に寄って配設され、受光素子３９は、回転体２３より離れて配設されるので、発光素子３８と受光素子３９との光の経路は、ガイド筒２７の上面視左上側から右下側に向けて設定される（図１１（ａ２）参照）。よって、回転体２３が反時計回りに回転されたときに、図１１に例示する電解促進錠剤投入装置１８では、ガイド筒２７を通過する電解促進錠剤２０が、発光素子３８と受光素子３９との光の経路を遮りやすくなる。
【００４５】
また、回転体２３の回転速度が遅く、排出される電解促進錠剤２０がガイド筒２７の上面視左上側に寄りすぎて通過したために発光素子３８と受光素子３９との光の経路を十分に遮らなくても、回転速度を上げることで、電解促進錠剤２０が通過する位置を、ガイド筒２７の中心寄りに近づけることができる（図１１（ａ２）、（ａ３）の破線参照）。よって、電解促進錠剤投入装置１８では、ガイド筒２７を通過する電解促進錠剤２０によって、発光素子３８と受光素子３９との光の経路が遮られやすくなる。
【００４６】
また、反時計周りで回転体２３の回転速度を上げても、電解促進錠剤２０の通過が検出できない場合は、回転体２３を時計回りに変更し、回転速度を調整することで、ガイド筒２７を通過する電解促進錠剤２０が発光素子３８と受光素子３９との光の経路を遮りやすくできる。なぜならば、電解促進錠剤２０は、ガイド筒２７の上面視右上から通過してくるため、図１１（ｂ２）に示す通り、電解促進錠剤２０の広い面で発光素子３８と受光素子３９との光の経路を遮るからである。
【００４７】
一方、図１６に示すように、回転体２３を上面視した場合に、直線Ｌ１と発光素子３８との距離ｄ１（図１０参照）と、直線Ｌ１と受光素子３９との距離ｄ２（図１０参照）とが等しくなるように発光素子３８と受光素子３９とを配設した場合は、回転体２３を反時計回りに遅い回転速度で回転させれば、ガイド筒２７内を通過する電解促進錠剤２０が、発光素子３８と受光素子３９との光の経路を遮りにくい。また、回転体２３を反時計周りで回転速度を上げても電解促進錠剤２０が検知できなかった場合、回転体２３の回転方向を時計回りに変更しても、ガイド筒２７内を通過する電解促進錠剤２０の位置と、発光素子３８と受光素子３９との光の経路との位置関係は、回転体２３の回転方向が反時計回りのときと左右対称になるだけで実質的に変わりがなく、電解促進錠剤２０が検知できない可能性が高い。
【００４８】
以上のように、第１実施形態に係る電解促進錠剤投入装置１８は、回転体２３を上面視した場合に、発光素子３８と受光素子３９とを結ぶ線分Ｌ３が、回転体２３が形成する円形であって、ガイド筒２７（孔２６）により形成される電解促進錠剤２０が通過する通過経路上における接線Ｌ２方向と非平行となる位置に、発光素子３８と受光素子３９とを配設すことで、電解促進錠剤２０の排出検知を精度よく行うことができる。特に、ガイド筒２７のサイズを広くしたり、ユーザが手で取り付けたケース２１の取り付け位置にズレが生じたりした場合であっても、発光素子３８と受光素子３９との光の経路がガイド筒２７を斜めに設定されるので、電解促進錠剤２０がガイド筒２７のどの位置を通ったとしても、電解促進錠剤２０が検知できる可能性を高めることができる。よって、電解促進錠剤２０が通過するガイド筒２７のサイズを大きくした場合や、ケース２１の取り付け位置にズレが生じた場合であっても、電解促進錠剤２０の排出検知を精度よく行うことができる。
【００４９】
また、回転体２３を上面視したときに、直線Ｌ１とガイド筒２７の左側にある発光素子３８との距離ｄ１（図１０参照）が、直線Ｌ１とガイド筒２７の右側にある受光素子３９との距離ｄ２（図１０参照）よりも短くなるように（ｄ２＞ｄ１）、発光素子３８及び受光素子３９を配設した場合に、回転体２３の回転方向の初期設定を反時計回りとすることで、より早く、電解促進錠剤２０の排出検知を行うことができる。
【００５０】
なお、図１０（ｃ）にて示したように、第１実施形態に係る電解促進錠剤投入装置１８は、回転体２３を側面視した場合の発光素子３８及び受光素子３９の高さを、いずれも同じ高さとなるようにしている。これにより、第１実施形態に係る電解促進錠剤投入装置１８のように、発光素子３８から出力される光の光軸からずらして受光素子３９を配設したとしても、それに伴う光の損失を少なくできる。
【００５１】
また、図１０では、発光素子３８から出力される光の光軸からずらして受光素子３９を配設する場合を例示したが、必ずしも光軸をずらす必要はない。例えば、発光素子３８と受光素子３９との光軸が一致するように対向させつつ、発光素子３８と受光素子３９とを結ぶ線分Ｌ３が交点Ｑにおける回転体２３の回転の接線Ｌ２方向と非平行となるように、発光素子３８と受光素子３９とが配設されてもよい。
【００５２】
（第２実施形態）
次いで、図１２を参照して、本発明の第２実施形態に係る電解促進錠剤投入装置１８について説明する。以下、第２実施形態に係る電解促進錠剤投入装置１８について、第１実施形態に係る電解促進錠剤投入装置１８と相違する点を中心に説明する。第１実施形態に係る電解促進錠剤投入装置１８と同一の構成については、同一の符号を付し説明を省略する。
【００５３】
図１２は、第２実施形態に係る電解促進錠剤投入装置１８の排出検知部４０を例示したものである。なお、図１２（ａ１）〜（ａ３）、（ｂ１）〜（ｂ３）は、各々、第１実施形態に係る電解促進錠剤投入装置１８を示した図１１（ａ１）〜（ａ３）、（ｂ１）〜（ｂ３）に対応する。
【００５４】
第２実施形態に係る電解促進錠剤投入装置１８では、回転体２３を上面視した場合に、直線Ｌ１と、ガイド筒２７の左側にある発光素子３８との距離ｄ１（図１０参照）が、直線Ｌ１とガイド筒２７の右側にある受光素子３９との距離ｄ２（図１０参照）よりも長くなるように（ｄ１＞ｄ２）、発光素子３８及び受光素子３９が配設される。
【００５５】
図１２に示す通り、第２実施形態に係る電解促進錠剤投入装置１８は、第１実施形態に係る電解促進錠剤投入装置１８（図１１参照）とは左右対称に発光素子３８及び受光素子３９が配設されており、その作用も第１実施形態に係る電解促進錠剤投入装置１８とは左右対称となるだけで、同様の効果を得ることができる。そして、第２実施形態に係る電解促進錠剤投入装置１８では、回転体２３の回転方向の初期設定を時計回りとすることで、より早く、電解促進錠剤２０の排出検知を行うことができるという効果が得られる。
【００５６】
（第３実施形態）
次に、図１３及び図１４を参照して、本発明の第３実施形態に係る電解促進錠剤投入装置１８について説明する。第３実施形態に係る電解促進錠剤投入装置１８は、第１実施形態に係る電解促進錠剤投入装置１８又は第２実施形態に係る電解促進錠剤投入装置１８において、電解促進錠剤２０の排出検知が行われるまで回転体２３の回転条件（回転方向及び回転速度）を変更する。
【００５７】
以下、第３実施形態に係る電解促進錠剤投入装置１８について、第１実施形態及び第２実施形態に係る電解促進錠剤投入装置１８と相違する点を中心に説明する。第１実施形態及び第２実施形態に係る電解促進錠剤投入装置１８と同一の構成については、同一の符号を付し説明を省略する。
【００５８】
図１３は、第３実施形態に係る電解促進錠剤投入装置１８の機能をブロックで示した機能ブロック図である。電解促進錠剤投入装置１８は、回転体２３の回転を制御する制御部５０を備えている。制御部５０は、例えばケース２１の底面に配設されたガイド筒２７付近に設けられ、モータカバー３２内に収納されている。
【００５９】
制御部５０には、排出検知部４０による電解促進錠剤２０の排出検知結果が入力される。また、制御部５０には、報知部６０が接続される。報知部６０は、回転体２３の回転条件を変更しながら回転制御を行っても電解促進錠剤２０の排出が検知できなかった場合に、検知ができない旨の報知を行う。その報知は、本体ケース１の天面に設けられた表示部（図示せず）の表示により行われてもよいし、本体ケース１に設けられたスピーカ（図示せず）から警告音を発音することにより行われてもよい。
【００６０】
制御部５０は、回転条件決定部５１と、停止部５２と、回転量判断部５３と、回転量比較部５４と、制御回数カウント部５５と、制御回数比較部５６と、を備える。このうち、回転条件決定部５１、停止部５２、回転量比較部５４、制御回数比較部５６は、制御部５０が後述する回転条件決定処理（図１４参照）を実行することにより、制御部５０にて実現される機能である。
【００６１】
回転量判断部５３は、制御部５０が制御する回転体２３（又はモータ部２４）の回転速度と回転時間とに基づいて、回転体２３の回転量Ｘ１を判断する。なお、電解促進錠剤投入装置１８は、回転体２３に回転角を検出する回転角センサを設け、その回転角センサの出力より回転量判断部５３にて回転体２３の回転量Ｘ１を判断してもよい。
【００６２】
制御回数カウント部５５は、制御部５０が、回転体２３（又はモータ部２４）の回転条件（回転方向及び／又は回転速度）を決定又は変更し、決定又は変更後の回転条件となるようにモータ部２４を制御した制御回数Ｘ２をカウントするカウンタにより構成される。
【００６３】
図１４は、制御部５０により実行される回転条件決定処理を示すフローチャートである。回転条件決定処理は、電解促進錠剤２０の排出指示があった場合に実行され、回転体２３の回転条件を決定するための処理である。
【００６４】
回転条件決定処理では、まず、モータ部２４の回転を開始して、回転体２３の回転を開始する（Ｓ１）。このＳ１の処理では、回転体２３（又はモータ部２４）が初期設定で設定される回転方向と回転速度となるように、モータ部２４の回転を制御する。なお、前回モータ部２４を回転させたときに電解促進錠剤２０の排出が検出された時点の回転体２３（又はモータ部２４）の回転方向及び回転速度を記憶しておき、Ｓ１の処理にて、この記憶した回転方向及び回転速度で回転体２３（又はモータ部２４）が回転するように、モータ部２４の回転を制御してもよい。
【００６５】
次に、排出検知部４０の検知結果より、電解促進錠剤２０の排出が検知されたかを判断する（Ｓ２）。その結果、電解促進錠剤２０の排出が検知されたと判断される場合は（Ｓ２：Ｙｅｓ）、モータ部２４の回転を停止、つまり、回転体２３の回転を停止して（Ｓ７）、回転条件決定処理を終了する。このＳ７の処理を実行する制御部５０が、停止部５２を構成する。
【００６６】
一方、Ｓ２の判断の結果、電解促進錠剤２０の排出が検知されていないと判断される場合は（Ｓ２：Ｎｏ）、次いで、制御回数カウント部５５によりカウントされた制御回数Ｘ２と制御回数閾値Ｂとを比較する（Ｓ３）。このＳ３の処理を実行する制御部５０が、制御回数比較部５６を構成する。
【００６７】
Ｓ３の比較の結果、制御回数Ｘ２が制御回数閾値Ｂを超えていない（Ｘ２≦Ｂ）場合は（Ｓ３：Ｎｏ）、次いで、回転量判断部５３より判断された回転体２３の回転量Ｘ１と、回転量閾値Ａとを比較する（Ｓ４）。このＳ４の処理を実行する制御部５０が、回転量比較部５４を構成する。Ｓ４の比較の結果、回転体２３の回転量Ｘ１が回転量閾値Ａを超えていない（Ｘ１≦Ａ）場合は（Ｓ４：Ｎｏ）、Ｓ２の処理に戻る。
【００６８】
一方、Ｓ４の比較の結果、回転体２３の回転量Ｘ１が回転量閾値Ａを超えた場合（Ｘ１＞Ａ）、回転体２３（又はモータ部２４）の回転条件（回転方向及び／又は回転速度）を変更し、変更後の回転条件で回転体２３が回転するようにモータ部２４を制御する（Ｓ５）。Ｓ５の処理の後、Ｓ２の処理へ戻る。なお、Ｓ１及びＳ５の処理を実行する制御部５０が、回転条件決定部５１を構成する。
【００６９】
ここで、回転体２３を所定量回転させても排出検知部４０により電解促進錠剤２０の排出が検知できない場合、ガイド筒２７内を通過する電解促進錠剤２０の通過位置にずれが生じ、通過する電解促進錠剤２０が発光素子３８と受光素子３９との光の経路を遮っていないおそれがある。これに対し、第３実施形態に係る電解促進錠剤投入装置１８は、Ｓ４及びＳ５の処理によって、回転体２３を所定量回転させても排出検知部４０により電解促進錠剤２０の排出が検知できない場合に、回転体２３の回転方向及び／又は回転速度を変更する。これにより、電解促進錠剤投入装置１８は、電解促進錠剤２０のガイド筒２７内における通過位置を変化させることができる。そして、上述した通り、電解促進錠剤投入装置１８は、発光素子３８と受光素子３９との光の経路を、ガイド筒２７内で斜めに設定されるので、通過位置の変化により、電解促進錠剤２０が検知できる可能性を高めることができる。
【００７０】
一方、Ｓ３の比較の結果、制御回数Ｘ２が制御回数閾値Ｂを超えた（Ｘ２＞Ｂ）場合（Ｓ３：Ｙｅｓ）、報知部６０による報知を行い（Ｓ６）、モータ部２４の回転を停止、つまり、回転体２３の回転を停止して（Ｓ７）、回転条件決定処理を終了する。Ｓ５及びＳ６の処理により、回転体２３（又はモータ部２４）の回転条件を所定回数変更してもなお電解促進錠剤２０の排出が排出検知部４０により検知されない場合、その旨が報知部６０により報知される。
【００７１】
これにより、電解促進錠剤２０の排出が検知されない状態をユーザに把握させることができる。ユーザは、この報知により、ケース２１に電解促進錠剤２０が空であるかを確認し、空の場合は電解促進錠剤２０をケース２１に補充する。また、電解促進錠剤２０がケース２１にある場合は、回転体２３の大きなずれや、排出検知部４０の故障など、何らかの問題が発生している可能性を予測できる。
【００７２】
また、第３実施形態に係る電解促進錠剤投入装置１８は、回転体２３（又はモータ部２４）の回転条件を所定回数変更してもなお電解促進錠剤２０の排出が排出検知部４０により検知されない場合、回転体２３の回転を停止する。電解促進錠剤投入装置１８は、電解促進錠剤２０の排出が検知されなくても、実際には、電解促進錠剤２０の排出が行われている可能性がある。電解促進錠剤投入装置１８は、回転体２３の回転を停止することで、必要以上に、電解促進錠剤２０の排出が行われることを抑制できる。また、多くの電解促進錠剤２０が貯水部１４に投入されることで、貯水部１４に貯水された水の塩化物イオンの濃度が必要以上に高くなることを抑制できる。よって、第３実施形態に係る電解促進錠剤投入装置１８は、次亜塩素酸の生成量が多くなりすぎたり、電解部１７の電極部材の寿命が短くなったりすることを抑制できる。
【００７３】
なお、Ｓ３の処理では、制御回数Ｘ２が制御回数閾値Ｂ以上となった（Ｘ２≧Ｂ）場合に、Ｓ６の処理へ移行して報知部６０による報知を行うようにしてもよい。また、Ｓ３の処理では、制御回数Ｘ２が制御回数閾値Ｂに達した（Ｘ２＝Ｂ）場合に、Ｓ６の処理へ移行して報知部６０による報知を行うようにしてもよい。また、Ｓ４の処理では、回転量Ｘ１が回転量閾値Ａ以上となった（Ｘ１≧Ａ）場合に、Ｓ５の処理へ移行して回転体２３（又はモータ部２４）の回転条件を変更しても良い。また、Ｓ４の処理では、回転量Ｘ１が回転量閾値Ａに達した（Ｘ１＝Ａ）場合に、Ｓ５の処理へ移行して回転体２３（又はモータ部２４）の回転条件を変更しても良い。
【００７４】
（第４実施形態）
次に、図１５を参照して、本発明の第４実施形態に係る電解促進錠剤投入装置１８について説明する。第４実施形態に係る電解促進錠剤投入装置１８は、第３実施形態に係る電解促進錠剤投入装置１８と比して、電解促進錠剤２０の排出検知が行われるまで回転体２３の回転条件（回転方向及び回転速度）を変更する契機が異なる。
【００７５】
以下、第４実施形態に係る電解促進錠剤投入装置１８について、第１実施形態〜第３実施形態に係る電解促進錠剤投入装置１８と相違する点を中心に説明する。第１実施形態〜第３実施形態に係る電解促進錠剤投入装置１８と同一の構成については、同一の符号を付し説明を省略する。
【００７６】
図１５は、第４実施形態に係る電解促進錠剤投入装置１８の機能をブロックで示した機能ブロック図である。第４実施形態に係る電解促進錠剤投入装置１８の制御部５０には、第３実施形態に係る電解促進錠剤投入装置１８の制御部５０が有する回転量判断部５３及び回転量比較部５４に代えて、回転時間カウント部５７及び回転時間比較部５８が設けられている。
【００７７】
回転時間カウント部５７は、回転体２３の回転を開始させてからの経過時間である回転時間Ｘ３をカウントするカウンタにより構成される。回転時間比較部５８は、回転時間カウント部５７によりカウントされた回転体２３の回転時間Ｘ３と、回転時間閾値Ｃとを比較する。第３実施形態に係る電解促進錠剤投入装置１８の制御部５０で実行される回転条件決定処理のＳ４の処理を、回転時間カウント部５７によりカウントされた回転体２３の回転時間Ｘ３と、回転時間閾値Ｃとを比較する処理に代えることで、第４実施形態に係る電解促進錠剤投入装置１８の回転時間比較部５８を構成できる。
【００７８】
回転時間比較部５８は、比較の結果、回転時間Ｘ３が回転時間閾値Ｃを超えた（Ｘ３＞Ｃ）場合に、回転体２３（又はモータ部２４）の回転条件（回転方向及び／又は回転速度）を変更し、変更後の回転条件で回転体２３が回転するようにモータ部２４を制御する。
【００７９】
ここで、回転時間比較部５８が回転時間閾値Ｃを超えた状態とは、回転体２３の回転が開始されてから所定時間が経過してもなお、排出検知部４０により電解促進錠剤２０の排出が検知できない状態を意味する。回転体２３は、回転条件決定部５１にて決定された回転速度で回転しているため、回転体２３の回転が開始されてから所定時間が経過しているということは、回転体２３が、所定時間×回転速度＝所定量回転していることと同じである。
【００８０】
ここで、回転体２３が所定量回転されても排出検知部４０により電解促進錠剤２０の排出が検知できない場合、ガイド筒２７内を通過する電解促進錠剤２０の通過位置にずれが生じ、通過する電解促進錠剤２０が発光素子３８と受光素子３９との光の経路を遮っていないおそれがある。これに対し、第４実施形態に係る電解促進錠剤投入装置１８は、このような場合に、回転体２３の回転方向及び／又は回転速度を変更する。これにより、電解促進錠剤投入装置１８は、電解促進錠剤２０のガイド筒２７内における通過位置を変化させることができる。そして、上述した通り、電解促進錠剤投入装置１８は、発光素子３８と受光素子３９との光の経路を、ガイド筒２７内で斜めに設定されるので、通過位置の変化により、電解促進錠剤２０が検知できる可能性を高めることができる。
【００８１】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部又は複数部分を、その実施形態に追加し或いはその実施形態の構成の一部又は複数部分と交換等することにより、その実施形態を変形して構成するようにしても良い。また、上記各実施形態で挙げた数値は一例であり、他の数値を採用することは当然可能である。
【産業上の利用可能性】
【００８２】
本発明に係る電解水散布装置は、空気中の細菌、真菌、ウイルス、臭い等の除去（不活性化を含む）を行う電解水散布装置として有用である。
【符号の説明】
【００８３】
Ａ    回転量閾値
Ｂ    制御回数閾値
Ｃ    回転時間閾値
Ｄ    電解水散布装置
１    本体ケース
２    吸気口
５    電解水生成部
６    吹出口
７    送風部
１４    貯水部
１６    フィルター部
１７    電解部
１８    電解促進錠剤投入装置
１９    散布部
２０    電解促進錠剤
２１    ケース
２３    回転体
２６    孔
２７    ガイド筒
３８    発光素子
３９    受光素子
４０    排出検知部
５０    制御部
５１    回転条件決定部
５２    停止部
５３    回転量判断部
５４    回転量比較部
５５    制御回数カウント部
５６    制御回数比較部
５７    回転時間カウント部
５８    回転時間比較部
６０    報知部
【図１】
2019026467.tif 000003
【図２】
2019026467.tif 000004
【図３】
2019026467.tif 000005
【図４】
2019026467.tif 000006
【図５】
2019026467.tif 000007
【図６】
2019026467.tif 000008
【図７】
2019026467.tif 000009
【図８】
2019026467.tif 000010
【図９】
2019026467.tif 000011
【図１０】
2019026467.tif 000012
【図１１】
2019026467.tif 000013
【図１２】
2019026467.tif 000014
【図１３】
2019026467.tif 000015
【図１４】
2019026467.tif 000016
【図１５】
2019026467.tif 000017
【図１６】
2019026467.tif 000018